(57)【要約】      （修正有）【課題】ブレードの振動を効果的に減衰させるための手段を備えるローターブレードを提供する。【解決手段】翼形部２０は少なくとも一つの空隙４０を有する。少なくとも一つの空隙４０は側壁３６，３８間に配されており、しかもチャネル４２は第1の壁部５４および第２の壁部５６によって形成される。チャネル４２内に選択的に収容されるダンパー２４は、第１の支持面８０、第２の支持面８２、前方面７６、および後方面７８を含み、それら全ては長手方向に延在する。上記面の少なくとも一つはチャネル４２内で長手方向延在流路９２を形成する形状となっている。流路９２は、少なくとも一つの面に沿った長手方向における冷却空気の移動を可能にするよう、少なくとも一つの面の長さに沿って方向付けられた流動方向を有する。ダンパー２４は長手方向に延在するアーチ形中心線７１を持つ。【選択図】図３
2005220902.tif 000002
【特許請求の範囲】
【請求項１】
ローターアセンブリ用のローターブレードであって、
根部と、
基端と先端との間にわたる長さ、第１の側壁、第２の側壁、前記側壁間に配された少なくとも一つの空隙、ならびに第1の壁部および第２の壁部によって形成されたチャネルを有する翼形部と、
前記チャネル内に選択的に収容されるダンパーと、を具備し、
前記ダンパーは、第１の支持面、第２の支持面、前方面、および後方面を有する本体を含み、それら全ては長手方向に延在し、
前記面の少なくとも一つは前記チャネル内で長手方向に延在する流路を形成する形状となっており、かつ前記流路は、前記少なくとも一つの面に沿った長手方向における冷却空気の移動を可能にするよう、前記少なくとも一つの面の前記長さに沿って方向付けられた流動方向を有することを特徴とするローターブレード。
【請求項２】
前記少なくとも一つの面は少なくとも一つの溝を含むような形状となっており、かつ前記溝は前記チャネル内に長手方向に延在する流路を形成することを特徴とする請求項１に記載のローターブレード。
【請求項３】
前記ダンパー本体は第１の長手方向端部および第２の長手方向端部を含み、前記少なくとも一つの溝は実質的に前記本体の前記長手方向端部間に延在していることを特徴とする請求項２に記載のローターブレード。
【請求項４】
前記面は、長手方向に延在する複数の溝を含む形状となっていることを特徴とする請求項２に記載のローターブレード。
【請求項５】
前記第１の支持面および前記第２の支持面の一方あるいは両方は、長手方向に延在する溝を含む形状となっていることを特徴とする請求項４に記載のローターブレード。
【請求項６】
前記第１の支持面および前記第２の支持面の一方あるいは両方は、長手方向に延在する溝を含む形状となっており、かつ各溝は前記チャネル内で長手方向に延在する流路を形成することを特徴とする請求項１に記載のローターブレード。
【請求項７】
前記ダンパー本体は第１の長手方向端部および第２の長手方向端部を含み、かつ前記少なくとも一つの溝は実質的に前記本体の前記長手方向端部間に延在していることを特徴とする請求項６に記載のローターブレード。
【請求項８】
前記ダンパー本体は、第１の長手方向端部、第２の長手方向端部、および長手方向に延在するアーチ形中心線を備えることを特徴とする請求項１に記載のローターブレード。
【請求項９】
前記アーチ形中心線は、長手方向端部間で曲率が増大することを特徴とする請求項９に記載のローターブレード。
【請求項１０】
前記ダンパー本体の前記第１の長手方向端部は前記翼形部の前記基端に隣接して配置されていると共に、前記ダンパー本体の前記第２の長手方向端部は前記翼形部の前記先端に隣接して配置されており、かつ前記アーチ形中心線は、前記第１の長手方向端部から前記第２の長手方向端部に向かう方向に曲率が増大することを特徴とする請求項９に記載のローターブレード。
【請求項１１】
ローターアセンブリ用のローターブレードであって、
根部と、
基端と先端との間にわたる長さ、第１の側壁、第２の側壁、前記側壁間に配された少なくとも一つの空隙、ならびに第1の壁部および第２の壁部によって形成されたチャネルを有する翼形部と、
前記チャネル内に選択的に収容されるダンパーと、を具備し、
前記ダンパーは、第１の支持面、第２の支持面、前方面、および後方面を有する本体を含み、それら全ては長手方向に延在し、
前記ダンパー本体はさらに、第１の長手方向端部、第２の長手方向端部、および長手方向に延在するアーチ形中心線を有することを特徴とするローターブレード。
【請求項１２】
前記アーチ形中心線は、長手方向端部間で曲率が増大することを特徴とする請求項１１に記載のローターブレード。
【請求項１３】
前記ダンパー本体の前記第１の長手方向端部は前記翼形部の前記基端に隣接して配置されていると共に、前記ダンパー本体の前記第２の長手方向端部は前記翼形部の前記先端に隣接して配置されており、かつ前記アーチ形中心線は、前記第１の長手方向端部から前記第２の長手方向端部に向かう方向に曲率が増大することを特徴とする請求項１２に記載のローターブレード。
【請求項１４】
第１の支持面と、
第２の支持面と、
前方面と、
後方面と、を具備し、
前記面の少なくとも一つは、少なくとも一つの長手方向延在溝を含むような形状となっていることを特徴とするローターブレードダンパー。
【請求項１５】
第１の長手方向端部と、
第２の長手方向端部と、をさらに具備し、
前記少なくとも一つの長手方向延在溝は、実質的に前記長手方向端部間に延在することを特徴とする請求項１４に記載のローターブレードダンパー。
【請求項１６】
前記面は、複数の長手方向延在溝を含むような形状となっていることを特徴とする請求項１５に記載のローターブレードダンパー。
【請求項１７】
前記第１の支持面および前記第２の支持面の一方または両方は、長手方向延在溝を含むような形状となっていることを特徴とする請求項１４に記載のローターブレード。
【請求項１８】
前記ダンパーは、第１の長手方向端部、第２の長手方向端部、および長手方向に延在するアーチ形中心線を備えることを特徴とする請求項１４に記載のローターブレードダンパー。
【請求項１９】
前記アーチ形中心線は、長手方向端部間で曲率が増大することを特徴とする請求項１８に記載のローターブレードダンパー。
【発明の詳細な説明】
【技術分野】
【０００１】
本発明は概してローターブレードに適用され、特にローターブレード内の振動を減衰しかつローターブレードを冷却するための装置に適用される。
【背景技術】
【０００２】
軸流タービンエンジンのタービンおよびコンプレッサーセクションは、概して、回転ディスクと、このディスクの周りに周方向に配置された複数のローターブレードとを具備するローターアセンブリを含む。ローターブレードのそれぞれは、根部と、翼形部(airfoil)と、根部と翼形部との間の変転領域に配置されるプラットフォームとを含む。ブレードの根部は、ディスクの相補的形状の凹部に収容される。ブレードのプラットフォームは横方向外側に延在し、全体としてローターステージを通過する流体用の流路を形成する。各ブレードの前方の縁部は概して前縁と呼ばれ、後方の縁部は後縁と呼ばれる。前方は、エンジンを通過するガス流において後方から上流に向かう側として定義される。
【０００３】
運転中、ブレードには多くの異なる強制的作用によって振動が発生する。たとえば、ガス温度、圧力、および／または密度における振動は、ローターアセンブリの全体にわたって、特にブレード翼形部に振動を引き起こす可能性がある。上流側タービンおよび／またはコンプレッサーセクションを周期的にあるいは「脈動」的に出るガスもまた、好ましくない振動を引き起こす。チェックされずに放置されると、振動はブレードを早期に疲弊させ、そしてその結果、ブレードのライフサイクルを低下させる可能性がある。
【０００４】
ダンパーとブレードとの間の摩擦は、ブレードの振動的動作を減衰させる手段として利用可能であることが知られている。
【０００５】
上記の望ましい摩擦減衰を生み出すためのある公知の手法は、タービンブレード内に細長いダンパー（ときにスティックダンパーと呼ばれる）を挿入するというものである。運転中、このダンパーは、振動エネルギーを消散させるためタービンブレードの内部接触面に接した状態で装填される。スティックダンパーに付随する問題の一つは、それらが、タービンブレード内で冷却空気流障害物をなすということである。当業者であれば、タービンブレード内での適切な冷却空気分配の重要性を認めるであろう。スティックダンパーによって引き起こされる障害を軽減するため、いくつかのスティックダンパーは、それらの接触面に配置された幅方向に（すなわち実質的に軸方向に）延在する流路を備え、ダンパーとブレードの接触面との間を冷却空気が流動するのを可能にしている。この流動はダンパーによって引き起こされる障害を確かに軽減するが、それらは単に別個のポジションで局限された冷却を可能にするに過ぎない。流路間の接触領域は冷却されないままとなり、それゆえ熱劣化に耐える能力が減殺されてしまう。機械加工に伴う、あるいはさもなければスティックダンパーに流路を形成することに伴う他の問題は、流路が望ましくない応力集中を招き、これがスティックダンパーの低いサイクル疲弊耐性を低下させるということである。
【０００６】
手短に言えば、必要なのは、ブレードの振動を効果的に減衰させ、しかもそれ自身およびブレード内の周囲領域の効果的な冷却を可能にする振動減衰デバイスを持つローターブレードである。
【発明の開示】
【発明が解決しようとする課題】
【０００７】
それゆえ本発明の目的は、ブレードの振動を効果的に減衰させるための手段を備えるローターアセンブリ用のローターブレードを提供することである。
【０００８】
本発明のさらに他の目的は、それ自身およびブレード内の周囲領域の効果的な冷却を可能にする振動減衰用の手段を提供することである。
【課題を解決するための手段】
【０００９】
本発明によれば、根部と、翼形部と、ダンパーとを含む、ローターアセンブリ用のローターブレードが提供される。翼形部は、長さと、基端と、先端と、第１の側壁と、第２の側壁と、少なくとも一つの空隙とを含む。上記長さは基端と先端とにわたる。少なくとも一つの空隙は側壁間に配され、かつチャネルは第1の壁部および第２の壁部によって形成される。チャネル内に選択的に収容されるダンパーは、第１の支持面、第２の支持面、前方面、および後方面を含み、それら全ては長手方向に延在する。上記面の少なくとも一つは、チャネル内で長手方向に延在する流路を形成する形状となっている。流路は、少なくとも一つの面に沿った長手方向における冷却空気の移動を可能にするよう、少なくとも一つの面の長さに沿って方向付けられた流動方向を有する。
【００１０】
本発明の利点は、ダンパーと翼形部壁との間で、知られている従来技術にて可能であるよりも、冷却空気のより均一な拡散が可能になることである。冷却空気のより均一な拡散は、ダンパーあるいはこのダンパーに近接する翼形部領域に熱劣化が生じる可能性を低減する。
【００１１】
本発明の上記および他の目的、特徴ならびに利点は、添付図面に図示されるその最良の実施形態の詳細な説明によって明らかになるであろう。
【発明を実施するための最良の形態】
【００１２】
図１を参照すると、ディスク１２および複数のローターブレード１４を有するガスタービンエンジン用のローターブレードアセンブリ１０が提示されている。ディスク１２は、その周りに周方向に配置された複数の凹部１６と、それを中心としてディスク１２が回転可能な回転中心線１７とを含む。各ブレード１４は、根部１８と、翼形部２０と、プラットフォーム２２と、ダンパー２４（図２参照）とを含む。各ブレード１４はまた、ブレード１４を通る放射状中心線２５を含み、これはディスク１２の回転中心線１７に対して直交している。根部１８は、ディスク１２の凹部１６の一つの形状(geometry)と係合する形状を有する。モミの木形状は一般に公知であり、しかもこの実例において使用可能である。図２からわかるように、根部１８はさらに流路２６を備え、これを通って冷却空気は根部１８に入り、それを通過して翼形部２０内に流入できる。
【００１３】
図１ないし図３を参照すると、翼形部２０は、基端２８と、先端３０と、前縁３２と、後縁３４と、圧力側壁３６と、吸引側壁３８と、これらの間に配された空隙４０と、チャネル４２とを具備する。図２は、前縁３２と後縁３４との間で切断した翼形部２０を大ざっぱに示している。圧力側壁３６と吸引側壁３８とは基端２８と先端３０との間に延在し、かつ前縁３２および後縁３４においてつながる。空隙４０は、チャネル４２の前方に第１の空隙部４４を有しかつチャネル４２の後方に第２の空隙部４６を有するものとして表現できる。翼形部２０が単一の空隙４０を含む実施形態では、チャネル４２は一つの空隙４０の一部分間に配置される。翼形部２０が二つ以上の空隙４０を含む実施形態では、チャネル４２は隣り合う空隙間に配置されてもよい。ここでの説明を簡単にするため、チャネル４２はここでは第１の空隙部４４と第２の空隙部４６との間に配置されているものとして説明する。だが、別に言及しない限りは、複数空隙および単一空隙の翼形部２０を含むことを意図している。図２ないし図７に示す実施形態では、第２の空隙部４６は後縁３４に近接しており、第１の空隙部４４および第２の空隙部４６は両方とも、翼形部２０の壁間に延在する複数の柱脚４８を含む。好ましい柱脚配列の特徴は以下で説明する。代替的実施形態では、一つの空隙部のみが柱脚４８を含むか、いずれの空隙部も柱脚４８を含まず、しかもそれ自身に配された冷却開口を備えるリブ４９（図１３参照）によって前方および後方に向かってチャネル４２が形成される。複数のポート５０が第２の空隙部４６の後方縁部５２に沿って配置され、後縁３４に沿って冷却空気が翼形部２０から出て行くための流路を提供する。
【００１４】
第１および第２の空隙部４４，４６間のチャネル４２は、基端２８と先端３０との間で長手方向に、実質的には基端２８と先端３０との間の距離全体にわたり延在する第１の壁部５４と第２の壁部５６とによって横方向に形成される。チャネル４２は、第１の長手方向縁部５８に沿って配された、複数の柱脚４８またはリブ４９（図１３参照）、またはその組み合わせによって前方に向かって形成される。チャネル４２は、第２の長手方向縁部６０に沿って配された、複数の柱脚４８またはリブ４９（図１３参照）、またはその組み合わせによって後方に向かって形成される。壁部５４，５６の一方あるいは両方は、壁からチャネル４２内へと延出する複数の隆起部６６を含む。以下で説明するように、この隆起部６６は、それがダンパー２４と点接触、線接触あるいは面接触を、あるいはその組み合わせをなすことを可能にする形状を有していてもよい。隆起部６６がとり得る形状の例には、球形、円柱形、円錐形、あるいはその切頭バージョン、その混成形が含まれるが、それらに限定されるものではない。隆起部６６がチャネル４２内へ延出する距離は均一であってもよく、あるいは隆起部６６間で意図的に異なるようになされてもよい。
【００１５】
熱的な観点から点接触は面接触と区別される。これは、点接触部でのダンパー２４および翼形部壁部５４，５６の温度が周囲領域の温度とそれほど差がない程度まで、点接触部を通過する冷却空気からの熱伝達が点接触部を冷却するのに十分なほど点接触部は面積が小さなことによる。線接触も同様に区別される。たとえば線接触は、線接触部でのダンパー２４および翼形部壁部５４，５６の温度が周囲領域の温度とそれほど差がない程度まで、線接触部を通過する冷却空気からの熱伝達が線接触部を冷却するのに十分なほど線接触部は面積が小さなことによって、面接触と区別される。
【００１６】
減衰の観点から、点接触は、点接触部を経て伝達される荷重の大きさに対する面接触部を経て伝達される荷重の大きさによって、面接触と区別される。接触部のサイズに関係なく、運転条件の所与の一群に関する荷重は同じになり、しかもそれは単位面積当たりの力の作用として分散されることになる。複数箇所で点接触する場合には、比較して言えば、非常に大きな面接触に関してそうなるであろうよりも、荷重は実質的に単位面積当たり一層大きくなる。線接触も同様に区別される。たとえば線接触は、比較して言えば、非常に大きな面接触に関してそうなるであろうよりも、それが実質的に単位面積当たり一層大きな荷重を担うということにより、面接触と区別される。
【００１７】
図４ないし図７を参照すると、チャネル４２内の隆起部６６の、チャネル４２のサイズに対するサイズおよび配列は、チャネル４２の幅を横切る蛇行流路６８が形成されるようなものである。この結果、第１の長手方向延在縁部５８を横切ってチャネル４２に流入する冷却空気流は、第２の長手方向延在縁部６０を横切ってチャネル４２を出る前に、チャネル４２内の複数の隆起部６６に衝突し、それを通過する。蛇行流路６８内の冷却空気流の方向成分については以下で説明する。チャネル４２内の隆起部６６はランダムに配列されてもよく、それでもチャネル４２の幅を横切る上記蛇行流路が形成される。隆起部６６はまた列をなすよう配置されてもよく、ここで一つの列の中の隆起部６６は、柱脚４８間に上記蛇行流路６８が形成されるよう隣接する列の隆起部６６からオフセットされる。
【００１８】
蛇行流路６８内の冷却空気流の方向成分に関して、事実上、蛇行流路６８の全ては、少なくとも部分的に長手方向（矢印Ｌで示す）に延在する少なくとも一つの部分と、少なくとも部分的に幅方向（矢印Ｗで示す）に延在する少なくとも一つの部分とを含む。蛇行流路６８は、いくつかの理由で、望ましくは、ダンパー２４と冷却空気との間の、そして翼形部壁部５４，５６と冷却空気との間の熱伝達を促進する。たとえば、蛇行流路６８を通過する冷却空気は、幅方向に延在するスロット内で冷却空気が通常そうするであろうよりも、ダンパー２４と翼形部壁部５４，５６との間により長い時間留まる。また、蛇行流路６８内で冷却空気にさらされるダンパー２４および翼形部２０の表面積は、従来技術の、幅方向に延在するスロットを持つダンパー装置内で通常さらされる表面積に対して増大する。こうした冷却上の利点は、幅方向に延在するスロットのみを持ち、そしてその間で面接触するだけのダンパーでは得られない。
【００１９】
図８および図９を参照すると、ダンパー２４はヘッド７０および本体７２および長手方向に延在する中心線７１を具備する。本体７２は、長さ７４と、前方面７６と、後方面７８と、第１の支持面８０と、第２の支持面８２と、ヘッド端部８１と、先端部８３とを含む。ヘッド７０は、ヘッド７０とブレード１４との間を密閉するためのシール面８４を含んでいてもよい。
【００２０】
図９に示す好ましい実施形態では、ダンパー本体７２は、アーチ形の長手方向に延在する中心線７１を有し、これは、翼形部２０内に取り付けられた際、本体７０に可変傾斜角度を付与する。アーチ形中心線７１の幾何学的配置、およびそれが生み出す傾斜角度は、用途に適合するよう変更できる。ある実施形態では、アーチ形中心線７１の曲率は、ダンパー２４のヘッド端部８１からダンパー２４の先端部８３に向かって長手方向に進んでいくとき増大する。この開示のため、アーチ形中心線の曲率の増大は、ダンパー本体７２のスロープとブレードの放射状中心線２５のスロープとの間の差の増大を示すのに使用される。アーチ形中心線７１によって形成されるダンパー２４の可変傾斜角度のために、ダンパー２４の重心は、それが遠心力荷重を受けた場合、復元モーメントを生み出す。この復元モーメントは、今度は、支持面８０，８２と壁部５４，５６との間で望ましい垂直荷重を生み出す。ダンパー２４の先端部８３の近くでの傾斜角度の増大は、直線ダンパーによって可能となるであろうよりも先端部８３の近くでより大きな垂直荷重を生じる。
【００２１】
図１０ないし図１３を参照すると、ダンパー本体７２はチャネル４２の断面形状と係合する断面形状となっている。すなわち、ダンパー２４の大まかな断面形状はチャネル４２の断面形状と係合する。しかしながら、ダンパー２４の詳細な断面形状は、チャネル４２内に一つ以上の長手方向延在流路９２を形成するため、さまざまな異なる断面形状を呈することができる。流路９２は、冷却空気のその面に沿った長手方向の移動を可能とするため、それが隣接する面の長さに沿って方向付けられた流動方向を持つ。たとえば図１０では、ダンパー２４の前方面７６は平らである。ダンパー２４がチャネル４２内に収容された際、流路９２は柱脚４８（またはリブ４９）と前方面７６との間に形成される。この中で、冷却空気は前方面７６に沿って長手方向に移動できる。図１０に示す実施形態もまた、その間にスムーズな流路を形成するため、チャネル４２の隣接部分と係合する形状となった後方面７８を含む。図１１ないし図１３に示す実施形態でも、ダンパー２４は、前方面７６に配置された１本以上の長手方向延在溝９４、後方面７８、第１の支持面８０、および／または第２の支持面８２を含む。溝９４を使用する利点は、必要な減衰は依然として可能でありながら、この溝９４はそれが適切な冷却をもたらすことができるポジションで面に対して位置させることができることである。１本以上の溝９４が、非ランダムな長手方向に流れを形成するのに十分なだけダンパー２４に沿って延びる。たとえば図１１では、ダンパー２４は一対の溝９４を備え、それぞれ前方面７６と支持面８０，８２との間の角に配置されている。図１２では、ダンパー２４は、前方面７６と、後方面７８と、第１の支持面８０と、第２の支持面８２とに配置された溝９４を具備する。図１３においては、ダンパー２４はＨ形状を有し、ここで溝は前方面７６および後方面７８に配置されている。本発明のダンパー２４は、これら実施形態に限定されず、チャネル内の、それが隣接する面の長さに沿って方向付けられた流動方向を有する長手方向延在流路９２を形成するいかなるダンパーも包含できる。
【００２２】
図２ないし図７を参照すると、好ましい実施形態では、第１の空隙部４４および第２の空隙部４６は、チャネル４２に近接して、翼形部２０の壁間に延在する複数の柱脚４８を含む。柱脚４８（チャネル４２の第１の長手方向延在縁部に隣接する第１の空隙部４４内に配置される）は、実質的に円柱形状のものとして図２ないし図５に示されている。これに代えて他の形状の柱脚４８を使用できる。第１の空隙部４４内の複数の柱脚４８は、好ましくは、柱脚４８間に蛇行流路８８を形成するため互いにオフセットされた複数の列を持つ並びで配列される。蛇行流路８８は局所熱伝達を改善し、かつ第１の長手方向延在縁部５８を横切ってチャネル４２に流入する冷却空気に関して均一な流量配分を促進する。柱脚列は、チャネル４２の長さの一部または全体に沿って配置できる。
【００２３】
第２の空隙部４６内の柱脚４８は、さまざまな異なる形状、たとえば円柱形、楕円形などとすることが可能であり、かつチャネル４２の第２の長手方向延在縁部６０に隣接して配置される。図４ないし図７に示す実施形態では、各柱脚４８は、後方向に延出する収れん部８６、たとえば後縁３４の方を向く滴形の収れん部８６を備えた滴形柱脚４８を含む。後方配置された収れん部８６を経て後方へ向かう方向に流れる冷却空気流は、たとえば円形柱脚４８を経て移動する類似の流れがそうするであろうよりも、一層小さな伴流を形成する。減衰した伴流は、後縁ポート５０に流入する好ましい流動特性を提供する。第２の空隙部４６内の複数の柱脚４８は、好ましくは、柱脚４８間に蛇行流路９０を形成するよう互いにオフセットした複数の列を有する並びで配列される。蛇行流路９０は局所熱伝達を改善し、かつ第２の長手方向延在縁部６０を横切ってチャネル４２を出る冷却空気に関して均一な流量配分を促進する。柱脚列は、チャネル４２の長さの一部または全体に沿って配置できる。最後列は、そこに含まれる柱脚４８が後縁３４の冷却特徴部(cooling feature)に対して整列するよう配置される。たとえば、図４ないし図７に示す最後列内の柱脚４８は、後縁３４に沿って配置されたポート５０と整列する。
【００２４】
図１３に示された実施形態では、チャネル４２は、それ自身に配された冷却開口９６を備えるリブ４９によって前方および後方に向かって形成されている。
【００２５】
図１ないし図９を参照すると、定常状態運転条件下では、ガスタービンエンジンのローターブレードアセンブリ１０は、このエンジンを通過するコアガス流によって回転する。高温のコアガス流は、ローターブレードアセンブリ１０のブレード１４に作用し、そしてブレード１４のそれぞれに、たいては非均一に大量の熱エネルギーを伝達する。熱エネルギーのいくらかを分散させるため、冷却空気は各ブレードの根部１８の流路２６内へ流入する。そこから、冷却空気の一部が第１の空隙部４４内へ流入し、ここでは圧力差によって、それがチャネル４２の第１の長手方向延在縁部５８に隣接する柱脚４８の並びへと向かい、そしてその中に流入する。そこから、冷却空気はチャネル４２の第１の長手方向延在縁部５８を横切り、そして一部が翼形部壁部５４，５６、ダンパー２４およびその間に延在する柱脚４８間に形成される蛇行流路６８に流入する。他の部分は、前方面７６、後方面７８、支持面８０，８２、および柱脚４８（またはリブ４９）の一つ以上のものと、翼形部壁部５４，５６との間に配された一つ以上の長手方向延在流路９２に流入する。長手方向延在流路９２の一つの中を移動する冷却空気は、ダンパー２４の長さの全部または一部を移動し、そして蛇行流路６８の一つに入るように出てもよい。実質的に、蛇行流路６８の全ては、少なくとも部分的に長手方向に延在する少なくとも一部分と、少なくとも部分的に幅方向に延在する少なくとも一部分とを含む。この結果、蛇行流路６８内の冷却空気は、それがダンパー２４の幅を横切って流動するとき、長手方向に分配される。ひとたび冷却空気がダンパー２４の幅を横断してしまうと、それは流路６８を出て、チャネル４２の第２の長手方向延在縁部６０を横断し、そしてチャネル４２の第２の長手方向延在縁部６０に隣接する柱脚４８の並びに流入する。ひとたび流れが、チャネル４２の第２の長手方向延在縁部６０に隣接する柱脚４８の並びを通過すると、それは翼形部２０の後縁３４に沿って配されたポート５０を出る。
【００２６】
ダンパー２４の支持面８０，８２は、チャネル４２の壁部５４，５６から延出する隆起部６６に接触する。翼形部２０の内部特性しだいで、ダンパー２４は、チャネル４２を横断する圧力差によって隆起部６６に対して強制的に接触させられてもよい。この接触力は、回転中心線１７を中心としてローターブレードアセンブリ１０のディスク１２が回転するときに発生する、ダンパー２４に作用する遠心力によってさらに十分なものとなる。ブレードの放射状中心線２５に対するチャネル４２の、そしてチャネル４２内に収容されたダンパー２４の曲がりは、チャネル４２の壁部５４，５６の方向に働くよう、ダンパー２４に作用する遠心力の一成分を生じさせる。すなわち遠心力成分は、チャネル４２の壁部５４，５６の方向に、ダンパー２４に抗する垂直力として作用する。
【００２７】
本発明をその詳細な実施形態に関して図示しかつ説明した。しかしながら、当業者であれば、本発明の精神および範囲から逸脱することなく、その外形および細部にさまざまな変更を施すことが可能であることを理解するであろう。
【図面の簡単な説明】
【００２８】
【図１】ローターアセンブリの一部斜視図である。
【図２】ローターブレードの概略断面図である。
【図３】ローターブレード部分の概略断面図である。
【図４】第１および第２の空隙部分の一部とその間に配されたチャネルの概略図であり、隆起部の第１実施形態を図示している。
【図５】図４に示す図の端面図である。
【図６】第１および第２の空隙部分の一部とその間に配されたチャネルの概略図であり、隆起部の第２実施形態を図示している。
【図７】図６に示す図の端面図である。
【図８】ダンパーの実施形態の斜視図である。
【図９】ダンパーの一実施形態の斜視図である。
【図１０】翼形部の概略断面図であり、翼形部チャネル内にはある実施形態のダンパーが配置されている。
【図１１】翼形部の概略断面図であり、翼形部チャネル内には他実施形態のダンパーが配置されている。
【図１２】翼形部の概略断面図であり、翼形部チャネル内には他実施形態のダンパーが配置されている。
【図１３】翼形部の概略断面図であり、翼形部チャネル内には他実施形態のダンパーが配置されている。
【符号の説明】
【００２９】
１０  ローターブレードアセンブリ
１２  ディスク
１４  ローターブレード
１６  凹部
１７  回転中心線
１８  根部
２０  翼形部
２２  プラットフォーム
２４  ダンパー
２５  放射状中心線
２６  流路
２８  基端
３０  先端
３２  前縁
３４  後縁
３６  圧力側壁
３８  吸引側壁
４０  空隙
４２  チャネル
４４  第１の空隙部
４６  第２の空隙部
４８  柱脚
４９  リブ
５０  ポート
５２  後方縁部
５４  第１の壁部
５６  第２の壁部
５７  開口
５８  第１の長手方向延在縁部
５９  根部側面
６０  第２の長手方向延在縁部
６６  隆起部
６８  蛇行流路
７０  ヘッド
７１  アーチ形中心線
７２  本体
７６  前方面
７８  後方面
８０，８２  支持面
８１  ヘッド端部
８３  先端部
８４  シール面
８６  収れん部
８８，９０  蛇行流路
９２  長手方向延在流路
９４  長手方向延在溝
９６  冷却開口
【図１】
2005220902.tif 000003
【図２】
2005220902.tif 000004
【図３】
2005220902.tif 000005
【図４】
2005220902.tif 000006
【図５】
2005220902.tif 000007
【図６】
2005220902.tif 000008
【図７】
2005220902.tif 000009
【図８】
2005220902.tif 000010
【図９】
2005220902.tif 000011
【図１０】
2005220902.tif 000012
【図１１】
2005220902.tif 000013
【図１２】
2005220902.tif 000014
【図１３】
2005220902.tif 000015